(57)【特許請求の範囲】
【請求項１】
矩形状配送伝票と、紙片が切り取り可能に形成された前記矩形状配送伝票より大きい矩形状台紙とからなり、前記配送伝票の対向する端辺間の長さの少なくとも一方の長さと前記台紙の対向する端辺間の長さの少なくとも一方の長さとが等しくなるように構成し、前記配送伝票と前記台紙とを前記配送伝票の対向する端辺と前記台紙の対向する端辺が一致するように、かつ、前記配送伝票が前記台紙よりはみ出すことがないように重ね合わせ、重ね合わせた一方の端辺近傍の前記配送伝票と前記台紙との間に前記一方の端辺に平行に、かつ、前記配送伝票の前記一方の端辺と直角に交わる２辺内に設けられた線状の接着部で強固に接着すると共に、重ね合わせた他方の端辺近傍の前記配送伝票の前記他方の端辺と直角に交わる２辺近傍の前記配送伝票と前記台紙との間に点状に設けられた接着部で剥離可能に接着し、かつ、前記配送伝票の前記線状の接着部近傍の前記他方の端辺側に前記線状の接着部に平行に部分的につなぎのある切り込みが設けられている配送伝票付注文葉書台紙と商品カタログとを、前記配送伝票付注文葉書台紙の配送票片に設けられた配送情報記載部が外部から視認できるように収納すると共に、前記配送伝票が前記配送伝票と前記台紙とを剥離可能に接着した側に前記配送伝票の略端辺寸法のスリットが設けられていることを特徴とする配送伝票付注文葉書台紙の送付袋。
【請求項２】
前記配送伝票付注文葉書台紙において、前記配送伝票が連量４０〜５５Ｋｇの一枚の紙からなり、前記配送伝票の表出部にお届け先の宛先宛名、発送元の宛先宛名等を表示した少なくとも配送情報記載部が設けられていることを特徴とする請求項１記載の配送伝票付注文葉書台紙の送付袋。
【請求項３】
前記配送伝票付注文葉書台紙において、前記台紙が連量１１０〜１３５Ｋｇの一枚の紙からなり、前記台紙に切り取り可能に形成された紙片が少なくともお届け先から発送元への注文葉書であることを特徴とする請求項１記載の配送伝票付注文葉書台紙の送付袋。
【発明の詳細な説明】
【０００１】
【発明の属する技術分野】
本発明は、通信販売等において会員等の顧客に配送される商品カタログ等の配送作業に際して用いられる配送伝票とその商品カタログに掲載された商品を注文する注文葉書等とに関するものであると共に、前記商品カタログ、配送伝票、前記商品カタログに掲載された商品の注文葉書等を配送する際に用いる送付袋に関するものである。
【０００２】
【従来の技術】
従来、通信販売等において会員等の顧客に配送される商品カタログ等の配送作業は、配送元で商品カタログとその商品カタログに掲載された商品の会員等の顧客固有の宛先宛名等の情報が印字された注文葉書等とを一緒に送付袋等に封入し、別に作成した会員等の顧客固有の宛先宛名等のお届け先情報が印字されたラベルを、前記注文葉書に印字された会員等の顧客固有の宛先宛名等の情報とマッチングして後、前記送付袋等に貼着し、宅配便等を利用して会員等の顧客に送付していた。このマッチング作業は、会員等の顧客が多ければ多いほど極めて煩雑なものであると共に作業効率の悪い作業であった。
【０００３】
そこで、このマッチング作業を軽減する方法として、配送元で商品カタログと会員等の顧客固有の宛先宛名等の配送情報（お届け先情報）が印字された配送情報記載片と一体となった商品の注文葉書等とを、前記配送情報記載片に印字された会員等の顧客固有の宛先宛名等の配送情報（お届け先情報）が外部から透視可能な送付袋に一緒に封入し、宅配便等を利用して会員等の顧客に送付するようになり、発送元での煩雑なマッチング作業は解消することができた。
【０００４】
しかし、通常、前記作業を行ってのちに、商品カタログと会員等の顧客固有の宛先宛名等の配送情報（お届け先情報）が印字された配送情報記載片と一体となった商品の注文葉書等とが封入された外部から透視可能な送付袋に、別途作成された会員等の顧客固有の宛先宛名等の配送情報（お届け先情報）が印字された配送伝票を貼着する必要があり、この場合においても、配送伝票の記載内容と送付袋に外部から透視可能に封入された前記配送情報記載片に印字された会員等の顧客固有の宛先宛名等の配送情報（お届け先情報）とをマッチングさせなければならず、このマッチング作業も上記のマッチング作業同様に煩雑であり、作業効率の悪い作業であると共にマッチングミスの起こりやすい作業であった。
【０００５】
【発明が解決しようとする課題】
そこで本発明は、上記問題に鑑みてなされたものであり、通信販売等において会員等の顧客に配送される商品カタログとその注文葉書等の配送作業の効率化を図ることを目的とし、特に配送伝票の記載内容と外部から透視可能な送付袋に封入された配送情報記載片に印字された会員等の顧客固有の宛先宛名等の配送情報（お届け先情報）とのマッチングをすることなく、結果としてマッチングミスを皆無にすることができる配送伝票とその商品カタログに掲載された商品の注文葉書等とを提供する共に、前記商品カタログ、配送伝票、前記商品カタログに掲載された商品の注文葉書等を配送する際に用いる送付袋を提供するものである。
【０００６】
【課題を解決するための手段】
本発明者は、上記のような問題点を解決すべく種々研究した結果、請求項１記載の発明の配送伝票付注文葉書台紙の送付袋は、矩形状配送伝票と、紙片が切り取り可能に形成された前記矩形状配送伝票より大きい矩形状台紙とからなり、前記配送伝票の対向する端辺間の長さの少なくとも一方の長さと前記台紙の対向する端辺間の長さの少なくとも一方の長さとが等しくなるように構成し、前記配送伝票と前記台紙とを前記配送伝票の対向する端辺と前記台紙の対向する端辺が一致するように、かつ、前記配送伝票が前記台紙よりはみ出すことがないように重ね合わせ、重ね合わせた一方の端辺近傍の前記配送伝票と前記台紙との間に前記一方の端辺に平行に、かつ、前記配送伝票の前記一方の端辺と直角に交わる２辺内に設けられた線状の接着部で強固に接着すると共に、重ね合わせた他方の端辺近傍の前記配送伝票の前記他方の端辺と直角に交わる２辺近傍の前記配送伝票と前記台紙との間に点状に設けられた接着部で剥離可能に接着し、かつ、前記配送伝票の前記線状の接着部近傍の前記他方の端辺側に前記線状の接着部に平行に部分的につなぎのある切り込みが設けられている配送伝票付注文葉書台紙と商品カタログとを、前記配送伝票付注文葉書台紙の配送票片に設けられた配送情報記載部が外部から視認できるように収納すると共に、前記配送伝票が前記配送伝票と前記台紙とを剥離可能に接着した側に前記配送伝票の略端辺寸法のスリットが設けられていることを特徴とするものである。このように構成することにより、配送伝票と台紙とを一体化することができ、配送伝票と台紙とを一つのものとして取り扱えるようになる。また、通常、配送伝票と台紙には、それぞれに会員等の顧客固有の宛先宛名等の情報が印字されているが、丁合機等で容易に配送伝票と台紙とのマッチングができるために、従来の煩雑なマッチング作業を廃止することができると共にマッチングミスを解消することができる。
【０００７】
また、請求項１記載の発明の配送伝票付注文葉書台紙の送付袋は、商品カタログと配送伝票付注文葉書台紙とを、前記配送伝票付注文葉書台紙の配送票片に設けられた配送情報記載部が外部から視認できるように収納すると共に、前記配送伝票が前記配送伝票と前記台紙とを剥離可能に接着した側に前記配送伝票の略端辺寸法のスリットが設けられていることを特徴とするものである。このように構成することにより、効率的、かつ、ミスのない配送作業が可能となると共にお届け先で前記配送伝票のみを前記スリットから容易に取り出すことができ、配達完了登録や運送費等の処理に供することができる。
【０００８】
また、請求項２記載の発明は、請求項１に記載する配送伝票付注文葉書台紙の送付袋において、前記配送伝票が連量４０〜５５Ｋｇの一枚の紙からなり、前記配送伝票の表出部にお届け先の宛先宛名、発送元の宛先宛名等を表示した少なくとも配送情報記載部が設けられていることを特徴とするものである。このように構成することにより、宅配便等の取扱会社が従来より用いているＯＣＲ機での自動読み取りが可能となる。
【０００９】
また、請求項３記載の発明は、請求項１に記載する配送伝票付注文葉書台紙の送付袋において、前記台紙が連量１１０〜１３５Ｋｇの一枚の紙からなり、前記台紙に切り取り可能に形成された紙片が少なくともお届け先から発送元への注文葉書であることを特徴とするものである。このように構成することにより、前記台紙に切り取り可能に形成された紙片が郵便法に適合した葉書として用いることができる。
【００１０】
【発明の実施の形態】
上記の本発明について、図面等を用いて以下に更に詳しく説明する。まず、図１は本発明の配送伝票付注文葉書台紙の送付袋に用いられる配送伝票付注文葉書台紙の第１の実施形態を示す概略的な平面図、図２は本発明の配送伝票付注文葉書台紙の送付袋に用いられる配送伝票付注文葉書台紙の第１の実施形態の注文葉書台紙の表面側を示す概略的な平面図、図３は本発明の配送伝票付注文葉書台紙の送付袋に用いられる配送伝票付注文葉書台紙の第１の実施形態の注文葉書台紙の裏面側を示す概略的な平面図、図４は本発明の配送伝票付注文葉書台紙の送付袋に用いられる配送伝票付注文葉書台紙の図１のＸーＸ線の断面図、図５は本発明の配送伝票付注文葉書台紙の送付袋に用いられる配送伝票付注文葉書台紙の図１のＹーＹ線の断面図、図６は本発明の配送伝票付注文葉書台紙の送付袋に用いられる配送伝票付注文葉書台紙の製造時の状態を示す１実施例の斜視図、図７は本発明の配送伝票付注文葉書台紙と商品カタログが収納された配送伝票付注文葉書台紙の送付袋の一実施例を示す概略的斜視図、図８は図７のＺーＺ線の断面図、図９は本発明の配送伝票付注文葉書台紙の送付袋に用いられる配送伝票付注文葉書台紙の第２の実施形態を示す概略的な平面図、図１０は本発明の配送伝票付注文葉書台紙の送付袋に用いられる配送伝票付伝票付注文葉書台紙の第２の実施形態の注文葉書台紙の表面側を示す概略的な平面図、図１１は本発明の配送伝票付注文葉書台紙の送付袋に用いられる配送伝票付注文葉書台紙の第２の実施形態の注文葉書台紙の裏面側を示す概略的な平面図である。図中の１，１’は配送伝票付注文葉書台紙、２，２’は配送伝票、３，３’は注文葉書台紙、４，４’は線状の接着部、５，５，は点状の接着部、６，６，は切り込み、７，８，９，１０，１３，１３’，１４，１４’，１５，１６，１７はミシン目、１１，１１’，１２，１２’は折り兼切り用ミシン目、２０，２２，２４，２５は固定情報、２１，２３は固有情報、２９，２９’はＯＣＲ用読み取りタイミングマーク、３０，３１は注文葉書片、３２，３２’はメッセージ兼注文要領片、３３，３３’は糊代片、４０は送付袋、４１は商品カタログ、４３はスリット、４５は透視可能部分、４６は透視不能部分、５０，５０’はマージナル部、５１，５１’は移送孔をそれぞれ示す。
【００１１】
図１は本発明の配送伝票付注文葉書台紙の送付袋に用いられる配送伝票付注文葉書台紙の第１の実施形態を示す概略的な平面図であり、配送伝票付注文葉書台紙１は矩形状の配達票片からなる配送伝票２と矩形状の注文葉書台紙３とからなり、前記配送伝票２と前記注文葉書台紙３との長さが等しい辺を一致させると共に、前記長さが等しい辺に直交する前記配送伝票２と前記注文葉書台紙３との両端辺が一致するように重ね合わせて、重ね合わせた一方の端辺（図１において右側端辺）の近傍の前記配送伝票２と前記注文葉書台紙３との間に前記一方の端辺（図１において右側端辺）に平行に、かつ、前記配送伝票２の前記一方の端辺（図１において右側端辺）と直角に交わる２辺内に設けられた線状の接着部４で強固に接着すると共に、他方の端辺（図１において左側端辺）近傍の前記配送伝票２の前記他方の端辺（図１において左側端辺）と直角に交わる２辺近傍の前記配送伝票２と前記注文葉書台紙３との間に設けられた点状の接着部５で剥離可能に接着しているものである。また、この配送伝票付注文葉書台紙１は、図１上の上下方向に注文葉書台紙３に設けられた折り兼切り用ミシン目１１，１２を介して連続する状態（図示せず）に構成されている。
【００１２】
前記配送伝票２には配達票なる表題、お問い合わせ番号、荷受人記入欄、荷送人記入欄、荷受人の地域コードを記入する着店コード記入欄、数量と重量記入欄、配達方法と配達印捺印欄、ＯＣＲ用読み取りタイミングマーク２９等の固定情報２０があらかじめ印刷されていると共に、各記入欄には荷受人，荷送人の宛先宛名等の配送情報２１が印字されている。また、前記配送伝票２を前記注文葉書台紙３から切り離しできるように前記配送伝票２の前記線状の接着部４近傍の前記他方の端辺（図１において左側端辺）側に前記線状の接着部４に平行に部分的につなぎのある切り込み６が形成されている。
【００１３】
図２は本発明の配送伝票付注文葉書台紙の送付袋に用いられる配送伝票付注文葉書台紙の第１の実施形態の注文葉書台紙の表面側を示す概略的な平面図であって、注文葉書台紙３は注文葉書片３０，３１とメッセージ兼注文要領片３２と糊代片３３とがミシン目７，８，９，１０により分離可能に形成されている。前記注文葉書片３０，３１の表面側には、「郵便はがき」であることの表示と注文先である通信販売会社の宛先宛名，注文主である会員等の顧客固有の情報記入欄等の固定情報２２、および、注文主である会員等の顧客固有の宛先宛名等の固有情報２３が表示されている。また、メッセージ兼注文要領片３２の表面側には、通信販売会社から注文主である会員等の顧客へ個々に宛てたメッセージが表示されている（図２においては表示せず）。
【００１４】
図３は本発明の配送伝票付注文葉書台紙の送付袋に用いられる配送伝票付注文葉書台紙の第１の実施形態の注文葉書台紙の裏面側を示す概略的な平面図であって、注文葉書片３０，３１の裏面側には、「ご注文書」なる表題、会員番号記入欄、お届け先記入欄、お支払方法記入欄、注文する商品の申込番号，数量，金額等を記入する注文商品記入欄などの固定情報２４があらかじめ印刷されていると共に、メッセージ兼注文要領片３２の裏面側には、会員等の顧客に共通する注文葉書の記入方法や電話での注文の場合の留意事項等の固定情報２５があらかじめ印刷されている。
【００１５】
図４は本発明の配送伝票付注文葉書台紙の送付袋に用いられる配送伝票付注文葉書台紙の図１のＸーＸ線の断面図であって、配送伝票付注文葉書台紙１は配送伝票２と注文葉書台紙３とが一方の端辺側（図４において右側）に設けられた強固に接着する線状の接着部４で接着している。前記配送伝票２には、前記接着部４近傍に部分的につなぎのある切り込み６が設けられ、前記注文葉書台紙３から切り離しできるように構成されると共に、配達票なる表題、お問い合わせ番号、荷受人記入欄、荷送人記入欄、荷受人の地域コードを記入する着店コード記入欄、数量と重量記入欄、配達方法と配達印捺印欄、ＯＣＲ用読み取りタイミングマーク等の固定情報２０と荷受人、荷送人の宛先宛名等の配送情報２１とが印刷、あるいは、印字されている。一方、前記注文葉書台紙３には、前記注文葉書台紙３に設けられた注文葉書片３０，３１を分離可能にするミシン目７，８，９が形成されていると共に、前記注文葉書台紙３の表面側、および、裏面側には、「郵便はがき」であることの表示と注文先である通信販売会社の宛先宛名，注文主である会員等の顧客固有の情報記入欄等の固定情報２２と注文主である会員等の顧客固有の宛先宛名等の固有情報２３、および、「ご注文書」なる表題、会員番号記入欄、お届け先記入欄、お支払方法記入欄、注文する商品の申込番号、数量、金額等を記入する注文商品記入欄などの固定情報２４が印刷、あるいは、印字されている。
【００１６】
図５は本発明の配送伝票付注文葉書台紙の送付袋に用いられる配送伝票付注文葉書台紙の図１のＹーＹ線の断面図であって、配送伝票付注文葉書台紙１は配送伝票２と注文葉書台紙３とが剥離可能に設けられた点状の接着部５，５で接着し、前記注文葉書台紙３には、前記注文葉書台紙３に設けられた注文葉書片３０，３１とメッセージ兼注文要領片３２を分離可能にするミシン目１０が形成されている。また、この配送伝票付注文葉書台紙１は、図５上の左右方向に注文葉書台紙３に設けられた折り兼切り用ミシン目１１，１２を介して連続する状態（図示せず）に構成されている。
【００１７】
図６は本発明の配送伝票付注文葉書台紙の送付袋に用いられる配送伝票付注文葉書台紙の製造時の状態を示す１実施例の斜視図であり、配送伝票付注文葉書台紙１は、表面側に「郵便はがき」であることの表示と注文先である通信販売会社の宛先宛名，注文主である会員等の顧客固有の情報記入欄等の固定情報２２と注文主である会員等の顧客固有の宛先宛名，メッセージ等の固有情報２３と裏面側に「ご注文書」なる表題、会員番号記入欄、お届け先記入欄、お支払方法記入欄、注文する商品の申込番号，数量，金額等を記入する注文商品記入欄，会員等の顧客に共通する注文葉書の記入方法や電話での注文の場合の留意事項等の固定情報２４（図示せず）とが印刷、あるいは、印字された両端部に移送孔５１が設けられ、ミシン目１３，１４で分離可能に構成されたマージナル部５０を有する注文葉書台紙３の上に、配達票なる表題、お問い合わせ番号、荷受人記入欄、荷送人記入欄、荷受人の地域コードを記入する着店コード記入欄、数量と重量記入欄、配達方法と配達印捺印欄、ＯＣＲ用読み取りタイミングマーク等の固定情報２０と荷受人，荷送人の宛先宛名等の配送情報２１とが印刷、あるいは、印字された両端部に移送孔５１’が設けられ、ミシン目１３’，１４’で分離可能に構成されたマージナル部５０’を有する配送伝票２が丁合されて、前記注文葉書台紙３と前記配送伝票２との間に設けられた線状の接着部４（図示せず）と点状の接着部５（図示せず）で接着されて載置されているものである。固有情報が印字された配送伝票２と同一の固有情報が印字された注文葉書台紙３とは通常の丁合手段を用いることで容易に丁合することができる。
【００１８】
次に、上記した配送伝票付注文葉書台紙１を商品カタログと一緒に宅配便等を用いて配送する際に用いる送付袋と前記送付袋に配送伝票付注文葉書台紙１と商品カタログとを収納する収納形態、および、配送伝票付注文葉書台紙１と商品カタログとが収納された送付袋の使い方について説明する。
【００１９】
図７は本発明の配送伝票付注文葉書台紙と商品カタログが収納された配送伝票付注文葉書台紙の送付袋の一実施例を示す概略的斜視図、図８は図７のＺーＺ線の断面図であって、送付袋４０は外部から透視可能な部分４５と透視不能な部分４６からなり、前記透視可能な部分４５に配送伝票２の荷受人，荷送人の宛先宛名等の配送情報が配置されるように構成されたものであって、たとえば、透明な合成樹脂製袋の外部から透視可能に構成する部分以外は隠蔽のある印刷が施された袋、あるいは、紙製ないしは合成紙製の袋の外部から透視可能に構成する部分に透明なシートが設けられた袋であって、商品カタログ４１と配送伝票付注文葉書台紙１を収納後に密閉できるように構成されている。また、前記送付袋４０には、商品カタログ４１と配送伝票付注文葉書台紙１が、前記配送伝票付注文葉書台紙１の配送伝票２の荷受人、荷送人の宛先宛名等の配送情報が外部から透視できるように収納された際に、前記配送伝票２が前記配送伝票２に設けられた切り込み６で前記配送伝票付注文葉書台紙１から切り離されて前記送付袋４０から取り出せるように、前記配送伝票２と前記注文葉書台紙３とを剥離可能に接着した側（図７、８において左側）の前記配送伝票２の端辺部に前記配送伝票２の略端辺寸法のスリット４３が形成されている。
【００２０】
通信販売会社等の発送元で前記送付袋４０に商品カタログ４１と配送伝票付注文葉書台紙１を前記配送伝票付注文葉書台紙１の配送伝票２の配送情報が外部から見えるように収納して後に前記送付袋４０を密封し、宅配便等の取扱会社に配送を依頼すると、依頼された宅配便等の取扱会社では前記送付袋４０に収納された配送伝票２の配送情報を外部から視認して配送業務をおこなうと共に、配送完了後には前記送付袋４０から前記配送伝票２を取り出して、必要事項の記入と配達印を捺印し、ＯＣＲ機にかけることで売り上げ等に繋げることができ、通信販売会社等と宅配便等の取扱会社にとって、配送作業の一連の業務の大幅な効率向上になる一方、通信販売会社等において従来発生した配送伝票の記載内容と外部から透視可能な送付袋等に封入した注文葉書等と一体となった配送情報記載片に印字された会員等の顧客固有の宛先宛名等の情報（お届け先情報）とのマッチングミスを解消することができる。
【００２１】
図９は本発明の配送伝票付注文葉書台紙の送付袋に用いられる配送伝票付注文葉書台紙の第２の実施形態を示す概略的な平面図であり、配送伝票付注文葉書台紙１’は矩形状の配達票片からなる配送伝票２’と矩形状の注文葉書台紙３’とからなり、前記配送伝票２’と前記注文葉書台紙３’との長さが等しい辺を一致させると共に、前記長さが等しい辺に直交する前記配送伝票２’と前記注文葉書台紙３’との両端辺が一致するように重ね合わせて、重ね合わせた一方の端辺（図９において右側端辺）の近傍の前記配送伝票２’と前記注文葉書台紙３’との間に前記一方の端辺（図９において右側端辺）に平行に、かつ、前記配送伝票２’の前記一方の端辺（図９において右側端辺）と直角に交わる２辺内に設けられた線状の接着部４’で強固に接着すると共に、他方の端辺（図９において左側端辺）近傍の前記配送伝票２’の前記他方の端辺（図９において左側端辺）と直角に交わる２辺近傍の前記配送伝票２’と前記注文葉書台紙３’との間に設けられた点状の接着部５’で剥離可能に接着しているものである。また、この配送伝票付注文葉書台紙１’は、図９上の配送伝票２’の上下方向に注文葉書台紙３’に設けられた折り兼切り用ミシン目１１’，１２’を介して連続する状態（図示せず）に構成されている。
【００２２】
前記配送伝票２’には配達票なる表題、お問い合わせ番号、荷受人記入欄、荷送人記入欄、荷受人の地域コードを記入する着店コード記入欄、数量と重量記入欄、配達方法と配達印捺印欄、ＯＣＲ用読み取りタイミングマーク２９’等の固定情報２０があらかじめ印刷されていると共に、各記入欄には荷受人，荷送人の宛先宛名等の配送情報２１が印字されている。また、前記配送伝票２’を前記注文葉書台紙３’から切り離しできるように前記配送伝票２’の前記線状の接着部４’近傍の前記他方の端辺（図９において左側端辺）側に前記線状の接着部４’に平行に部分的につなぎのある切り込み６’が形成されている。
【００２３】
図１０は本発明の配送伝票付注文葉書台紙の送付袋に用いられる配送伝票付注文葉書台紙の第２の実施形態の注文葉書台紙の表面側を示す概略的な平面図であって、注文葉書台紙３’は注文葉書片３０，３１とメッセージ兼注文要領片３２’と糊代片３３’とがミシン目１５，１６，１７により分離可能に形成されている。前記注文葉書片３０，３１の表面側には、「郵便はがき」であることの表示と注文先である通信販売会社の宛先宛名，注文主である会員等の顧客固有の情報記入欄等の固定情報２２、および、注文主である会員等の顧客固有の宛先宛名等の固有情報２３が表示されている。また、メッセージ兼注文要領片３２’の表面側には、通信販売会社から注文主である会員等の顧客へ個々に宛てたメッセージが表示されている（図１０においては表示せず）。
【００２４】
図１１は本発明の配送伝票付注文葉書台紙の送付袋に用いられる配送伝票付注文葉書台紙の第２の実施形態の注文葉書台紙の裏面側を示す概略的な平面図であって、注文葉書片３０，３１の裏面側には、「ご注文書」なる表題、会員番号記入欄、お届け先記入欄、お支払方法記入欄、注文する商品の申込番号、数量、金額等を記入する注文商品記入欄などの固定情報２４があらかじめ印刷されていると共に、メッセージ兼注文要領片３２’の裏面側には、会員等の顧客に共通する注文葉書の記入方法や電話での注文の場合の留意事項等の固定情報２５があらかじめ印刷されている。
【００２５】
すなわち、第１の実施形態で示した配送伝票に対する注文葉書台紙の位置関係において、第２の実施形態は配送伝票に対して注文葉書台紙を９０度回転させて丁合したものである。実施形態としては上記の実施例に限ることはなく、たとえば、第１の実施形態に対して注文葉書台紙を第２の実施形態で示した回転方向と同じ方向に１８０度、あるいは、２７０度回転させた形態であってもよい。また、配送伝票においては配達票をあげて説明したが、受領票や売上票、あるいは、不在通知票等を必要に応じて設けてもよいし、注文葉書台紙においては二枚の注文葉書片とメッセージ兼注文要領片をあげて説明したが、メッセージ兼注文要領片が設けられていなくてもよいし、注文葉書片が一枚の構成であってもよいし、また、注文葉書片の一枚にかえて、カタログ請求葉書片やアンケート調査依頼葉書片等を必要に応じて設けても構わない。
【００２６】
また、図１〜６に示した本発明の配送伝票付注文葉書台紙の送付袋に用いられる配送伝票付注文葉書台紙の第１の実施形態および図９〜１１に示した本発明の配送伝票付注文葉書台紙の送付袋に用いられる配送伝票付注文葉書台紙の第２の実施形態は、製造時において、注文葉書台紙３および３’がそれぞれミシン目１１，１２およびミシン目１１’，１２’で連続した状態に構成されているものを示したが、ミシン目１１，１２およびミシン目１１’，１２’に直交する２辺にミシン目が形成され、前記ミシン目１１，１２およびミシン目１１’，１２’に直交する２辺に形成されたミシン目を介して連続した状態に構成されていても構わない。
【００２７】
【発明の効果】
本発明は上記に詳述したように本発明の配送伝票付注文葉書台紙の送付袋に用いられる配送伝票付注文葉書台紙は、通信販売会社や宅配便等の取扱会社において、通信販売等において会員等の顧客に配送される商品カタログとその注文葉書等の配送作業を効率的におこなうことができ、しかも、従来通信販売会社等において行われていた配送伝票の記載内容と送付袋に封入された配送情報記載片に印字された会員等の顧客固有の宛先宛名等の配送情報とのマッチング作業をなくしてマッチングミスを皆無にすることができるものである。また、本発明の配送伝票付注文葉書台紙の送付袋は商品カタログと注文葉書台紙等とが送付袋に封入された状態で配送作業を完了することができるために、送付袋に封入された商品カタログや注文葉書台紙の損傷や汚れを防止できると共に、商品カタログ等に記載された会員等の顧客固有の秘匿性のある情報を外部の目から保護することができ、さらに、配送伝票のみを取り出すことができ、宅配便等の取扱会社ではＯＣＲ機等にかけることで配送完了報告と売上処理に繋げることができるといった効果を奏する。
【図面の簡単な説明】
【図１】  本発明にかかる配送伝票付注文葉書台紙の送付袋に用いられる配送伝票付注文葉書台紙の第１の実施形態を示す概略的な平面図である。
【図２】  本発明にかかる配送伝票付注文葉書台紙の送付袋に用いられる配送伝票付注文葉書台紙の第１の実施形態の注文葉書台紙の表面側を示す概略的な平面図である。
【図３】  本発明にかかる配送伝票付注文葉書台紙の送付袋に用いられる配送伝票付注文葉書台紙の第１の実施形態の注文葉書台紙の裏面側を示す概略的な平面図である。
【図４】  本発明にかかる配送伝票付注文葉書台紙の送付袋に用いられる配送伝票付注文葉書台紙の図１のＸーＸ線の断面図である。
【図５】  本発明にかかる配送伝票付注文葉書台紙の送付袋に用いられる配送伝票付注文葉書台紙の図１のＹーＹ線の断面図である。
【図６】  本発明にかかる配送伝票付注文葉書台紙の送付袋に用いられる配送伝票付注文葉書台紙の製造時の状態を示す１実施例の斜視図である。
【図７】  本発明にかかる配送伝票付注文葉書台紙と商品カタログが収納された配送伝票付注文葉書台紙の送付袋の一実施例を示す概略的斜視図である。
【図８】  図７のＺーＺ線の断面図である。
【図９】  本発明にかかる配送伝票付注文葉書台紙の送付袋に用いられる配送伝票付注文葉書台紙の第２の実施形態を示す概略的な平面図である。
【図10】  本発明にかかる配送伝票付注文葉書台紙の送付袋に用いられる配送伝票付注文葉書台紙の第２の実施形態の注文葉書台紙の表面側を示す概略的な平面図である。
【図11】  本発明の配送伝票付注文葉書台紙の送付袋に用いられる配送伝票付注文葉書台紙の第２の実施形態の注文葉書台紙の裏面側を示す概略的な平面図である。
【符号の説明】
１，１’                                    配送伝票付注文葉書台紙
２，２’                                    配送伝票
３，３’                                    注文葉書台紙
４，４’                                    線状の接着部
５，５’                                    点状の接着部
６，６’                                    切り込み
７，８，９，１０，１３，１３’              ミシン目
１４，１４’，１５，１６，１７              ミシン目
１１，１１’，１２，１２’                  折り兼切り用ミシン目
２０，２２，２４，２５                      固定情報
２１，２３                                  固有情報
２９，２９’                                ＯＣＲ用読み取りタイミングマーク
３０，３１                                  注文葉書片
３２，３２’                                メッセージ兼注文要領片
【図１】
0003898299.tif 000002
【図２】
0003898299.tif 000003
【図３】
0003898299.tif 000004
【図４】
0003898299.tif 000005
【図５】
0003898299.tif 000006
【図８】
0003898299.tif 000007
【図６】
0003898299.tif 000008
【図７】
0003898299.tif 000009
【図９】
0003898299.tif 000010
【図１０】
0003898299.tif 000011
【図１１】
0003898299.tif 000012